(57)【要約】可変焦点式眼鏡であって、ｉ）各々が第１の固定プラスチックレンズと調節可能な焦点流体レンズとを具える２の可変焦点式レンズ部分を具える焦点モジュールと、ｉｉ）意図された着用者によってユーザの距離視覚を補正するのに必要となるほとんどの又は総ての光出力を好ましくは具える第２の固定プラスチックレンズと、を具えている。第２の固定プラスチックレンズは磁力により焦点モジュールに好ましくは取付けられる。【選択図】図２
2010506236.tif 000002
【特許請求の範囲】
【請求項１】
可変焦点レンズにおいて、
焦点ユニットであって、
内部に開口部を有する膜支持部材と、
前記開口部を覆う透明な膨張性膜と、
前記支持部材に対し移動可能な、前記膜支持部材に取付けられる第１のレンズと、
当該第１のレンズと前記膜支持部材との間に延在する可撓性密封手段と、
前記第１のレンズと、前記可撓性密封手段内の前記透明な膨張性膜との間の空間を実質的に充填する透明な流体と、
を具える焦点ユニットと；
第２のレンズと；
当該第２のレンズを前記焦点ユニットに保持する固定手段と；
を具えることを特徴とする可変焦点レンズ。
【請求項２】
請求項１に記載の可変焦点レンズにおいて、前記第２のレンズが脱離可能であることを特徴とする可変焦点レンズ。
【請求項３】
請求項２に記載の可変焦点レンズにおいて、前記固定手段が複数の磁石を具えることを特徴とする方法。
【請求項４】
請求項３に記載の可変焦点レンズにおいて、前記複数の磁石が前記第２のレンズ中に埋込まれ、前記焦点ユニットが前記磁石に磁力で引きつけられるリムを有することを特徴とする可変焦点レンズ。
【請求項５】
請求項１に記載の可変焦点レンズにおいて、前記第１のレンズがリーフヒンジによって前記膜支持部材に取付けられ、これによって前記膜支持部材に対する前記第１のレンズの動きがアーチ状になることを特徴とする可変焦点レンズ。
【請求項６】
請求項１に記載の可変焦点レンズにおいて、前記開口部が実質的に円形であることを特徴とする可変焦点レンズ。
【請求項７】
請求項６に記載の可変焦点レンズにおいて、前記第２のレンズが脱離可能であることを特徴とする可変焦点レンズ。
【請求項８】
請求項７に記載の可変焦点レンズにおいて、前記固定手段が複数の磁石を具えることを特徴とする可変焦点レンズ。
【請求項９】
請求項８に記載の可変焦点レンズにおいて、前記複数の磁石が前記第２のレンズ中に埋込まれ、前記焦点ユニットが前記磁石に磁力で引きつけられるリムを有することを特徴とする可変焦点レンズ。
【請求項１０】
請求項６に記載の可変焦点レンズにおいて、前記第１のレンズがリーフヒンジによって前記膜支持部材に取付けられ、これによって前記膜支持部材に対する前記第１のレンズの動作がアーチ状になることを特徴とする可変焦点レンズ。
【請求項１１】
可変焦点式眼鏡であって、
固定された光出力を有する固定レンズと、調整可能な光出力を有する流体レンズとをそれぞれ具え、ブリッジによる空間関係で保持される一対の焦点ユニットと、
前記流体レンズ近傍の前記焦点ユニットのうちの１つにそれぞれ保持される一対の第２の固定レンズと、
を具えることを特徴とする可変焦点式眼鏡。
【請求項１２】
請求項１１に記載の可変焦点式眼鏡において、前記第２の固定レンズが脱離可能であることを特徴とする可変焦点式眼鏡。
【請求項１３】
請求項１２に記載の可変焦点式眼鏡において、前記第２の固定レンズが複数の磁石により前記焦点ユニットにそれぞれ保持されることを特徴とする可変焦点式眼鏡。
【請求項１４】
請求項１３に記載の可変焦点式眼鏡において、前記複数の磁石が前記第２の固定レンズ中に埋込まれることを特徴とする可変焦点式眼鏡。
【請求項１５】
請求項１１に記載の可変焦点式眼鏡において、前記焦点ユニットの光出力を調整するためのアクチュエータを更に具えることを特徴とする可変焦点式眼鏡。
【請求項１６】
可変焦点式眼鏡であって、
所定の光出力をそれぞれ有する一対の第１の固定された光出力レンズと、
一対の膜支持構造であって、その内部に開口部をそれぞれ有し、前記膜支持構造の各々が前記一対の第１の固定された光出力レンズのうちの１つの視野に関連し、その近傍及び内部に取付けられ、前記一対の第１の固定された光出力レンズの各々とその関連する膜支持構造とが互いに対して移動可能である一対の膜支持構造と；
前記開口部にわたって前記膜支持構造の各々に取付けられる膜と；
前記第１の固定された光出力レンズの各々と、その関連する膜支持構造との間に延在する可撓性密封部と；
その各密封部内の各前記一対の第１の固定された光出力レンズと、その関連する膜支持構造との間の空間を実質的に充填する、所定の屈折率を有する流体と；
所定の固定された光出力をそれぞれ有し、前記膜支持構造のうちの１つにそれぞれ取付けられる一対の第２のレンズと；
を具えることを特徴とする可変焦点式眼鏡。
【請求項１７】
請求項１６に記載の可変焦点式眼鏡において、前記一対の第２のレンズが、前記膜支持構造に脱離可能に取付けられることを特徴とする可変焦点式眼鏡。
【請求項１８】
請求項１７に記載の可変焦点式眼鏡において、前記一対の第２のレンズの各々に永続的に取付けられる複数の磁石を更に具え、これによって前記一対の第２のレンズが前記膜支持構造に磁力で取付けできることを特徴とする可変焦点式眼鏡。
【請求項１９】
請求項１６に記載の可変焦点式眼鏡において、前記開口部が実質的に円形であることを特徴とする可変焦点式眼鏡。
【請求項２０】
請求項１９に記載の可変焦点式眼鏡において、前記一対の第２のレンズが前記膜支持構造に脱離可能に取付けられることを特徴とする可変焦点式眼鏡。
【請求項２１】
請求項２０に記載の可変焦点式眼鏡において、前記一対の第２のレンズの各々に永続的に取付けられる複数の磁石を更に具え、これによって前記一対の第２のレンズが前記膜支持構造に磁力で取付けできることを特徴とする可変焦点式眼鏡。
【請求項２２】
可変焦点式眼鏡用の脱離可能なレンズであって、
前面と後面とを有するプラスチックレンズと；
前記レンズの周辺近傍にある前記後面の溝と；
少なくとも１の面をそれぞれ有し、接着剤によって前記溝に保持される複数の磁石と；
を具えることを特徴とする可変焦点式眼鏡用の脱離可能なレンズ。
【請求項２３】
請求項２２に記載の可変焦点式眼鏡用の脱離可能なレンズにおいて、前記磁石のうちの少なくとも１つの前記１の面が、前記溝から前記面を超えて隆起していることを特徴とする可変焦点式眼鏡用の脱離可能なレンズ。
【請求項２４】
請求項２２に記載の可変焦点式眼鏡用の脱離可能なレンズにおいて、前記磁石がサマリウムコバルト磁石であることを特徴とする可変焦点式眼鏡用の脱離可能なレンズ。
【請求項２５】
請求項２２に記載の可変焦点式眼鏡用の脱離可能なレンズにおいて、前記磁石がネオジミウム鉄ボロン磁石であることを特徴とする可変焦点式眼鏡用の脱離可能なレンズ。
【発明の詳細な説明】
【技術分野】
【０００１】
本出願は、２００６年１０月１０日出願の「可変焦点レンズ」という表題の米国仮特許出願番号６０／８５０，７４２について、３５ＵＳＣ§１１９（ｅ）の利益を主張する。
【０００２】
ここに記載の発明は老眼用の新しい型の可変焦点式眼鏡である。
【背景技術】
【０００３】
人は加齢すると、様々な距離に目の焦点を合わせる能力が徐々に失われる。４０歳あたりから、「調節」（人間の可変焦点能力と呼ばれるような）の喪失は一般的に重篤になり、ほぼすべての人にとって、距離視覚が補正された後でさえも距離を読む際に、対象物及び対象に焦点を合わせることは不可能である。遠近両用眼鏡、三焦点眼鏡、及び「ＰＡＬｓ」（累進屈折力眼鏡）といった、特殊なタイプの眼鏡がこの問題を取り扱うのに開発されてきた。しかし、これらのタイプの眼鏡は重大な欠陥を有している。これらの眼鏡は、ユーザからの異なる距離で対象に焦点を合わせようとする場合に、ユーザに異なるレンズ部位を通して見ることを要求する。例えば、ＰＡＬユーザがある距離の対象を見る場合に上方のレンズを通して、及び、本を読む場合は下方のレンズ中央での非常に小さい部位を通して見なければならない。同様に遠近両用眼鏡のユーザも、レンズの下方部分内の小さな部位を通して見て、読書しなければならない。このような制限は多くの状況において意に満たないものである。
【発明の概要】
【０００４】
本発明の好ましい実施例によって生成された眼鏡は、
ｉ）２の可変レンズ部分を含み、各々がユーザ調節可能な光出力を提供するように構成された「焦点モジュール」と、
ｉｉ）可変レンズ部分の前面に配置された、各々が更に固定した光出力を提供する好ましく脱離可能な一対の処方レンズと、
からなっている。
【０００５】
可変レンズの前面の処方レンズは好ましくは脱離可能であり、磁石によって保持できる。代替的に、それらはスプリングクリップ又は他の手段のような、その他の手段によって保持できる。それらは好ましくは意図された距離のある対象を明白に見るユーザ（ユーザの「距離処方」）によって必要とされる視力補正のほとんど、又は総てを含むため、ここでは「処方」レンズと呼ばれている。必要となる補正は球状、シリンダ状、及び／又は可能な限りプリズム状の構成を含むことができる。
【０００６】
本発明の利点は、処方レンズが標準的な既製完成品の眼科レンズ素材で製作できることである。当然、それらは半完成品の素材から、又は、他の初期素材から更に製作されうる。
【０００７】
可変レンズ部分の光出力は、眼鏡のブリッジ内に好ましくは含まれるアクチュエータの使用を通して（好ましくは双方同時に）ユーザによって調節されうる。調節可能なレンズ部分は可変球形の「ＡＤＤ」を提供して、ユーザが様々な距離での、例えば、無限距離と読書距離との間のいずれかの距離での対象に焦点を合わせることを可能にする。可変レンズ部分のうちの１つの、前面の処方レンズとの組合せは、時として「レンズユニット」と称される。処方レンズはいくつかの実施例で、以下に述べるようにこれらのレンズがユーザの目から最大に離れていないとしても、「前面」レンズと時として呼ばれている。
【０００８】
以下に更に述べられるように、各レンズユニットは３つのレンズ（前面レンズ、可変流体レンズ、後面レンズ）を具えている。本発明の好ましい実施例においては、前面レンズは意図されたユーザの距離処方を組み入れて、その球状、シリンダ状及びプリズム状の構成を具えるが、所望の場合、処方の一部（又は可能な総て）は代替的に後面レンズに組み込まれうる。更に、ユーザの処方の球状の構成、又はその一部は所望の場合に、可変流体レンズ内に具現化できるであろう。
【０００９】
後面レンズと可変流体レンズとを含む焦点モジュールは、所定の可変球状の光出力範囲を合計で例えば０乃至＋３ジオプターにしている。前面レンズが総ての意図されたユーザの距離処方を組み込んだ場合、次いで、光出力の０ジオプターを提供するように焦点モジュールが調節された際に、意図されたユーザの目は、距離のある対象に焦点を合わせられる。焦点モジュールが＋３ジオプターに調節された場合、意図されたユーザはユーザの目から１／３メータ（約１３インチ）離れた対象に焦点を合わせるであろう。
【００１０】
焦点モジュールは代替的に０乃至＋３ジオプター以外、例えば、＋１乃至＋３．５ジオプターの光出力範囲を提供するように構成されうるであろう。そのケースにおいては、前面レンズは１ジオプターほど意図されたユーザの距離処方より低い光出力を提供するように好ましくは製作される。これらの条件下では、焦点モジュールが＋１ジオプターの光出力を提供するように設定される場合、システムの光出力網は意図されたユーザが距離のある対象をはっきりと見ることができるようにし、焦点モジュールが＋３．５ジオプターの光出力を提供するように設定される場合、全体として眼鏡が意図されたユーザの距離処方より大きい＋２．５ジオプターの光出力を提供し、このようにしてユーザはユーザの目から１／２．５メータ（約１６インチ）離れた対象をはっきりと見ることができる。
【００１１】
ここに含まれる本発明の記載において、簡単にするために、ユーザの双方の目は同一であると仮定され、このようにして、１の光出力が本発明について記載するように考察される必要がある。しかしながら当該技術分野の当業者は、多くのユーザの２つの目に対する光学的要求は同一であり、結果的に、それらの人用の眼鏡における２つのレンズユニットは同一の光学特性を有していないことが分かるであろう。
【００１２】
本文書で使用されるように、用語「前面」及び「後面」は眼鏡の使用者から離れる及び向かう方向に言及する。従って、「後面」レンズはユーザの目に最も近いレンズである。様々な焦点モジュール部分は好ましくは、レーザ溶接によって互いに固定される。明確に示すと、一般的な溶接は図の黒い三角部位により示されている。
【００１３】
明らかに、一式の眼鏡は標準的に意図されたユーザの顔部上の位置に眼鏡を保持するいくつかの手段を含んでいる。このような手段は例えば、焦点モジュール又は前面レンズに取付けられたテンプルからなる。眼鏡は更に好ましくはノーズパッドを具えている。明瞭化のために、これらの要素は図に示していない。しかしながら、適したテンプル及びノーズパッドは、眼鏡上に組み込む方法と同様、当該技術分野で公知であり、当該技術分野の当業者は、眼鏡一式にこのような項目を含むのに困難性は有しない。
【００１４】
ここでの説明及び図は、「後面」レンズを有し、その前面（後面レンズと前面レンズとの間）に流体レンズを有するような焦点モジュールに言及する。本発明の原理によると、焦点モジュールが逆にされる代替的な構成で同一の目的が得られうるとわかるであろう。すなわち、流体レンズが最も後面の要素（ユーザの目に面するフィルム）である場合と、「後面」レンズが流体レンズと前面レンズとの間に配置される場合である。このような構成は詳細に記載される好ましい構成と同様、ここでカバーすることを意図している。ここでカバーすることを意図している別の代替的な構成は、ユーザの顔部に面する「前面」レンズ、外側に面する「後面」レンズ、間にある流体レンズを伴い、ユーザによって着用されるべく構成されることを除いては、上述のように構成されるレンズユニットと焦点モジュールを用いている。
【００１５】
本発明のより完全な理解は、添付の図と共に以下の発明の詳細によって得られうる。
【図面の簡単な説明】
【００１６】
【図１】図１は、発明の眼鏡の正面図であり、着用者がいる場合の内向き方向に見ている。
【図２】図２は、距離の視覚用のレンズユニットセットを有する図１の２−２で取られた図１の眼鏡のレンズユニットのうちの１つの部分分解断面図である。
【図３】図３は、図２の断片的な詳細であり、断片の位置は図２で符号３によって表示されたものであり、レンズユニットは距離の視覚用に調節されている。
【図４】図４は、レンズユニットが接近した視覚、例えば読書用に設定されたのを除いては、図３と同一の断片的な詳細である。
【図５】図５は、図２の断片的な詳細であり、断片の位置は図２で符号５によって示されるものである。
【図６】図６は、例示された本発明の実施例と関連して用いられるリーフヒンジの斜位像である。
【図７】図７は、各前面レンズ部分の拡大した断片の断面であり、保持磁石が挿入される、この好ましい溝部の詳細を示し、断面は磁石が配置されない部分に取られている。
【図８】図８は、各前面レンズ部分の拡大した断片の断面であり、保持磁石が挿入される、この好ましい溝部の詳細を示し、断面は磁石が配置される部分に取られている。
【図９】図９は、各々の脱離可能な前面レンズの正面図である。
【発明を実施するための形態】
【００１７】
図１は本発明の一実施例の正面図を示している。２つのレンズユニット１０及び１０’が示され、ブリッジ１２により相対的位置に保持されている。ブリッジ１２内に、詳細には示さないが、レンズユニットの光出力を調節するためのアクチュエータがある。アクチュエータは例えば、米国特許第７，００８，０５４号に記載のタイプであり、引用はより詳細に為されうる。従って、米国特許第７，００８，０５４号の開示はここに引用として取り込まれている。
【００１８】
２つのレンズユニットが互いのミラーイメージである限りにおいては、１つのみが考察される。
【００１９】
アクチュエータは連結部１３を通ってレンズユニット１０の後面リング２０に連結される。連結部１３（及び左レンズユニット１０’上のミラー側（図示せず））は、上述の引用発明の連結部３５及び３６に対応する。連結部１３は後面リングに直接的に取付けられるか、タブ１１を介して取付けられる。米国特許第７，００８，０５４号に詳細に記載のように、スライダ３０（引用発明では２４）の調節は連結部１３を移動させ、同様に、以下に記載のように、後面リング２０をアーチ状の方法で移動させる。
【００２０】
各レンズユニットは固定出力の前面レンズ１４と、固定出力の後面レンズ１５と、可変出力の流体レンズ１６という、３つの異なるレンズを具えている。３つのレンズの組合せは、本発明の眼鏡のレンズが調節可能な光出力を有することを除いては、通常の単焦点眼鏡に共通に用いられるような単一レンズと光学的に等価なレンズユニットを生じている。本発明の好ましい実施例においては、前面レンズは総て又はほとんど総ての意図されたユーザの距離処方を好ましくは具えられる意味での「処方」レンズである。このことは要求される条件ではないが、ユーザの処方は前面レンズ、後面レンズに実現でき、都合良く総てのレンズユニットの３つのレンズの間で分布できる。例えば、前面レンズは光出力を有することができず、意図されたユーザの距離処方が後面及び流体レンズに完全に存在でき、場合によっては後面レンズのみに完全に存在できる。いくつかの他のケースにおいては後面レンズが０の光出力を有することができ、このようなケースにおいては意図されたユーザの距離処方は前面及び流体レンズ内に完全に存在するであろう。
【００２１】
図２は例示の目的のために、前面レンズ１４が焦点モジュールから分離して示される場合の右レンズユニット１０の断面図を示している。複数の磁石は前面レンズ１４に、好ましくはレンズ周辺近傍の溝部２４内に取付けられる（接着剤又は他の手段を用いて）。４つの磁石が例示されているが、実際に用いられる数は磁石の強度と、所望される保持力の量とに依存している。図１に示したように、磁石はレンズユニットの前面から見ることができる。しかしながら、以下に述べるように、本発明の好ましい実施例においては、溝部２４は好ましくは不透明なプラスチック成分で満たされ、ひいては磁石が隠され、第三者によって見られるものが、溝部位置での円形ストライプとなる。
【００２２】
好ましい磁性材料は、その磁性特性が相対的に高い保持力を許容するため、サマリウムコバルト又はネオジミウム鉄ボロンのような希土類型である。当然、他の磁性材料も可能である。磁石は焦点モジュールの前面リング１９に引きつけられる（リングは、例えば１７−４ＰＨスチールのような強磁性材料から好ましくは製作される）。従って、磁力は前面レンズを焦点モジュールに保持している。この配置は前面レンズが清掃のため、サングラスレンズによる置換のため、又は他の理由のために除去されうるのを許容している。
【００２３】
図７は前面レンズ１４の断片的な断面図を示し、磁石保持溝部２４の底部のこの好ましい形状の詳細を示すために拡大される。レンズ１４が透明であるため、溝部１４及び磁石のようなそこに含まれるものは、第三者に見ることができる。美容上の満足のために、磁石が隠されることが所望されうる。このことは例えば、着色剤を含むエポキシ充填剤２６のような、不透明な充填材料またはポッティング成分で溝部を充填すること、及び、充填剤が硬化する間に、溝部の底部から離れる磁石を保持することによって得ることができる。本発明の好ましい実施例においては、磁石は２つの肩部２７によって溝部２４の底部から離れて保持される。明瞭化のために、図７及び８における肩部は誇張化されている（そして、図２乃至５に示されていない）。非常に小さな隙間のみが、磁石と溝部の底部との間に必要とされて、エポキシが第三者から磁石を隠すことを可能にしており、おそらくは．００２”で十分である。実際に必要とされる隙間は、エポキシの不透明度に依存している。更に、磁石は好ましくは溝部に緩く合致し、充填材料は磁石の側面周りを流動し、溝部に磁石を保持するのを助ける。磁石の側面の充填材料は図に示されていない。上述のように、例示的な目的のために、本発明の好ましい実施例において、円形のカラーストライプのみが実際に第三者にみることができる場合でさえも、磁石は図１及び９には見られうる。
【００２４】
後面レンズ１５は後面リング２０によって保持され、その組合せは弾性ゴム状の蛇腹２１を通って前面リング２０と連結され、後面リングが前面リングに対し移動できる。サランのような透明な膨張性プラスチックフィルム２２の薄膜が、前面リングの背面と蛇腹との間に取付けられる。便宜上、前面リングは膜支持部材又は構造と見なされうる。フィルムと後面レンズとの間の空間は、ダウコーニングＤＣ−７０５シリコン流体のような透明な流体１６で充填される（液体（及びフィルム）は上のような流体レンズを形成する）。透明な流体１６が弾性ゴム状の蛇腹２１によって後面レンズ１５とフィルム２２との間に保持される。
【００２５】
リーフヒンジ２３は連結部１３のほぼ逆側の点に前面及び後面リングを相互に連結している。説明上の明確さのために、リーフヒンジ２３はリングの外周上で剥離して示されているが、実際には、外観及び様式はヒンジが挿入され、その他については部分的にあるいは全体的に隠されることを可能な限り要求している。
【００２６】
図３及び４はブリッジ１２の位置近傍に取られた右レンズユニット１０の断片的な断面図である。図３は距離視覚のために調節されたレンズユニットを示し、図４は近傍視覚のために調節されたレンズユニットを示している。違いは、図３においては連結部１３が拡張されて、双方の距離がブリッジ近傍で測定された場合、連結部１３が縮み後面リング２０が前面リング１９に近接する場合の図４と比較して、後面リング２０が更に前面リング１９から離れるようにしている。連結部１３が移動する場合（ユーザがスライダ３０を移動させるのに応じて）、リングはリーフヒンジ２３近傍のライン周りの相対回転（すなわち、クラムシェルタイプの動き）を受ける。
【００２７】
説明の目的で、本質的な要求ではないが、後面レンズ、充填流体及びフィルムは、ほぼ同一の屈折率を有すると仮定される。好ましい流体であるダウコーニングＤＣ−７０５、好ましいレンズ材料の一つであるポリカーボネート、好ましいフィルムであるサランの総ては約１．５８の屈折率を有し、ひいてはこの選択を満たしている。焦点モジュールが例えば＋１ジオプターの距離視覚用に設定された場合、フィルム２２の前面は小さな正の光出力を有している。この最後の選択の理由は、米国特許第７，００８，０５４号に記載の発動メカニズムは、一方向にのみに力を及ぼすことができ、そのタイプのアクチュエータが使用された場合、外部復元力がシステムを距離位置に戻すのに要求されることである。正のフィルム曲率（フィルム内の張力を表わす）を用いて、必要となる復元力の少なくとも一部分を供給できる。蛇腹２１及び／又はリーフヒンジ２３は各々必要となる力の一部を更に供給できる。
【００２８】
後面レンズの最も後面が−１ジオプターの光出力に達する負の曲率を有する場合、全体としての焦点モジュールは、図３に示された場合に、０の光出力網（後面の−１ジオプターの光出力に平衡する、フィルム面の＋１ジオプター光出力）を有している。後面レンズと充填流体とが同一の屈折率を有し、その間のインタフェースが光学効果を有せず、光出力の組合せが２の外面の出力の合計と等しいことに留意せよ。屈折率が同一でない場合、インタフェースでの光出力は考慮するのを必要とするであろう。
【００２９】
連結部１３が図４に示した位置の方向に縮む場合、流体はフィルムを前方に隆起させ、隆起した面での光出力を増大させ、それによって焦点モジュールの光出力網を増大させる。フィルムの自由領域が円形の場合、好まれる場合は更なる光出力が球形となる。
【００３０】
上述の例に説明したように、距離位置に調節されたときに焦点モジュールが０の光出力網を有する場合、前面レンズは好ましくは意図されたユーザの実際の距離の屈折要求を含み、球状及びシリンダ状の構成（及び、可能な限りプリズム）を含んでいる。焦点モジュールが０以外の距離のある光出力、例えば＋２ジオプターの球状出力を有するように構成される場合、前面レンズは意図されたユーザの処方、つまり、２ジオプター未満の球体で好ましくは製作されるであろう。
【００３１】
前面レンズでいう、用語「脱離可能」は前面レンズが道具の使用なしに着用者によって焦点モジュールから脱離できることを意味することを意図している。前面レンズの除去は、クリーニングを含む多数の理由のため、あるいは、日光保護を得るべく色レンズとの置換のために所望されうる。眼鏡一式の前面レンズは示されたように別個のアイテムであり、自身のブリッジによって互いに固定される。それらは例示したように磁石によって、あるいはばねクリップ又はその他の手段によって焦点モジュールに取り付けられうる。差し込みタイプの連結が所望の場合に使用されうる。
【００３２】
図５によると、示された蛇腹２１の部分は、例えば図３にあるように蛇腹形状を有していないことは留意されるであろう。リーフヒンジ２３では、又はその近傍では蛇腹形状を有する代わりに、好ましくは固形ゴム部分の形態において存在する。この理由は流体を有するレンズユニットを満たすのが容易になることである。リーフヒンジ近傍のリングかんの相対動作がわずか又はないために、蛇腹作用は必要なく、固形部分を生成することが便利である。
【００３３】
レンズユニットを充填するために、充填流体で満たされる皮下注射器の針はリーフヒンジ２３内の穴２５を通って、及び更にその部分でのゴムを通って挿入される。レンズユニットが完全に充填されるまで流体はレンズユニット内部にポンピングされ、空気がそれに応じて除去される。ペンシルポイント又はその他の場合のノンコア針が用いられて、針が除去された場合に穴が密封されるのが好ましい。
【００３４】
使用時に上述のように、眼鏡の焦点が調節される場合、膜２２が前面レンズ１４に対して移動する。この動きは流体レンズと前面レンズとの間の空気圧をその間の空間が密封された場合に変化させる。大気圧の増加が（リング２０が膜の近くに移動する場合に生ずるように）焦点ユニットから前面レンズを除去する、又はその他の所望されない効果を可能な限り生じさせることが分かるであろう。従って、意図的な空気漏れが前面レンズと焦点モジュールの間に存在することが所望される。本発明の好ましい実施例においては、この漏れは磁石１８が溝部２４とエポキシ充填剤２６との頂部の上にわずかに隆起させることによって得られる。このようにして、前面レンズが適所にある場合、空気が通るのを可能にする前面レンズと前面リングとの間に小さなギャップがある。
【００３５】
本発明の１の重要なユーザ分類は、航空機のパイロットであろう。極度に可能性がないが、旅客機の外殻部分は高い高度での飛行時に脱離することを知られていた。このようなことが起った場合、客席内の加圧は急に低下し、パイロット周りの圧力は急に低下しうる。前面レンズがこのような条件下で脱離した場合、明確な問題が生じうる。従って、航空機のパイロットのために、前の段落で述べた前面レンズと前面リングとの間のギャップが十分に拡大縮小されるべきであって、十分な気流は、急な客席の除圧状態下で前面レンズが除去されないのを保証するほどに、前面レンズの後方の大気圧が急に低下するのを保証することを可能にしている。
【００３６】
図９はレンズ１４の正面図を示している。レンズ形状は例えばタブ３０を含むことによって故意に明確に非対称にされ、ユーザが眼鏡の左側に右の前面レンズを不注意に取付けないようにする。そして逆もまた真である。タブ３０から離れたレンズの一般的形状は図に円形で示されるが、いずれかの都合良い形状は、方法又はその他の因子によって示されるように用いられうる。
【図１】
2010506236.tif 000003
【図２】
2010506236.tif 000004
【図３】
2010506236.tif 000005
【図４】
2010506236.tif 000006
【図５】
2010506236.tif 000007
【図６】
2010506236.tif 000008
【図７】
2010506236.tif 000009
【図８】
2010506236.tif 000010
【図９】
2010506236.tif 000011
【国際調査報告】
2010506236.tif 000012